(57)【要約】【課題】簡単かつ強固に取り付けることができ、かつ製造コストを低減できる建築材料取付具を提供する。【解決手段】建築材料取付具１は、建築材料を取り付ける２個一対の挟持基体１０、１０を用いて、建築基体Ｙより突出した棒状体Ｂを挟持して固定される構造とし、挟持基体１０のそれぞれは、棒状体Ｂを挟持する、凹部内面に凹凸部１３ａが形成された凹溝部１３と、該凹溝部１３の両側端より側方に延びボルト挿通孔１４ｂを有した板片によりなる、該凹溝部１３、１３同士による棒状体Ｂの挟持を保持する固定部１４とを備えている。【選択図】図１
2014190026.tif 000002
【特許請求の範囲】
【請求項１】
建築材料を取り付ける２個一対の挟持基体を用いて、建築基体より突出した棒状体を挟持して固定される構造とした建築材料取付具であって、
前記挟持基体のそれぞれは、前記棒状体を挟持する、凹部内面に凹凸部が形成された凹溝部と、該凹溝部の両側端より側方に延びボルト挿通孔を有した板片によりなる、該凹溝部同士による前記棒状体の挟持を保持する固定部とを備えたことを特徴とする建築材料取付具。
【請求項２】
請求項１において、
前記一対の挟持基体は対称形状とされることを特徴とする建築材料取付具。
【請求項３】
請求項１または２において、
前記凹溝部の内面同士を突き合わせて形成される開口が、突き合わせ方向の径を短径とした略楕円形状であることを特徴とする建築材料取付具。
【発明の詳細な説明】
【技術分野】
【０００１】
本発明は、建築基体より突出した棒状体を挟持して固定される構成とした建築材料取付具に関する。
【背景技術】
【０００２】
従来、屋根や外壁、ブロック塀などの建築基体に種々の建築材料を取り付けるために種々の建築材料取付具が用いられている。
【０００３】
たとえば屋根においては、一般に、折板屋根（角波形屋根）、丸波形屋根等の波形屋根の上面に、たとえばテレビアンテナや空調機器、太陽電池パネル、遮熱シート等の各種機器・部材類（屋根上物品）を配設することが実施されており、従来には、各種機器・部材類を屋根上に取り付けるための種々の屋根上物品取付具（建築材料取付具）が提案されている（たとえば、特許文献１、２参照）。
【０００４】
特許文献１、２に記載された屋根は、山部と谷部とが交互に連続してなる波形屋根における山部の頂部で、隣接する屋根材同士を重ねてなる重合部をボルト体（棒状体）とナットの螺着によって連結、固定する重ね式連結構造となっている。そして、その波形屋根に取り付けられる屋根上物品取付具は、屋根材の重合部を波形屋根の下方より貫通して屋根上に突出した、屋根材連結のためのボルト体の軸部を、先端が相対向する挟着片で挟み込むことで設置できるようになっている。
【０００５】
具体的には、これらの屋根上物品取付具は、略門形に形成され、その両脚片を横方向に貫通する緊締用ボルトおよび緊締用ナットで両脚片を緊締して、両脚片のそれぞれの下端から対向するように延びた両挟着片がボルト体を挟着する構造となっている。挟着片の先端がボルト体のネジ溝に食い込んだ状態で係止、固定されるので、屋根上物品取付具は容易に外れることなく屋根上にしっかりと固定される。
【先行技術文献】
【特許文献】
【０００６】
【特許文献１】特開２０１２−４６９４１号公報
【特許文献２】特開２０１２−４６９４２号公報
【発明の概要】
【発明が解決しようとする課題】
【０００７】
しかしながら、特許文献１の屋根上物品取付具は１部材よりなる略門形の挟着具よりなるため、手作業による挟着のための緊締作業には力を要し、そのため取付作業を迅速に行うことはできない。
【０００８】
また、特許文献２の屋根上物品取付具は、一対の挟着具よりなるため、緊締作業は比較的楽に行える構成であるが、全体の形状、構造が複雑であり、製造コストがかかるおそれがある。
【０００９】
本発明は、このような事情を考慮して提案されたもので、その目的は、種々の建築材料を屋根や外壁、ブロック塀などの建築基体に取付固定するための建築材料取付具において、簡単かつ強固に取り付けることができ、かつ製造コストを低減できる建築材料取付具を提供することにある。また、様々な径の棒状体に対して固定できるようにすることも本発明の目的とする。
【課題を解決するための手段】
【００１０】
上記目的を達成するために、請求項１に記載の建築材料取付具は、建築材料を取り付ける２個一対の挟持基体を用いて、建築基体より突出した棒状体を挟持して固定される構造とした建築材料取付具であって、挟持基体のそれぞれは、棒状体を挟持する、凹部内面に凹凸部が形成された凹溝部と、該凹溝部の両側端より側方に延びボルト挿通孔を有した板片によりなる、該凹溝部同士による棒状体の挟持を保持する固定部とを備えたことを特徴とする。
【００１１】
請求項２に記載の建築材料取付具は、一対の挟持基体は対称形状とされることを特徴とする。
【００１２】
請求項３に記載の建築材料取付具は、凹溝部の内面同士を突き合わせて形成される開口が、突き合わせ方向の径を短径とした略楕円形状であることを特徴とする。
【発明の効果】
【００１３】
請求項１に記載の建築材料取付具によれば、上述の構成となっているため、全体の形状、構造をシンプルかつ頑丈にでき、建築基体に強固に取り付けることができる。形状、構造がシンプルであるため、製造コストを低減できる。また、上述の構成となっているため、建築材料取付具を建築基体に、楽に効率よく取り付けることができる。
【００１４】
また、凹凸部が形成された両凹溝部で棒状体を挟持する構成であるため、ずれや外れが発生しにくく、建築材料取付具を安定的に設置できる。さらに、凹凸部を棒状体の軸部に接触させて摩擦力でしっかりと固定できる構成であるため、軸部が錆びて螺合ができないボルト体に対しても取り付けることができる。
【００１５】
請求項２に記載の建築材料取付具によれば、一対の挟持基体は対称形状とされるため、設置したときにシンプルな美観が得られる。特に、同一形状とすれば、構成部品の種類を少なくすることができ、部品管理も簡易にできる。
【００１６】
請求項３に記載の建築材料取付具によれば、凹溝部の内面同士を突き合わせて形成される開口が、突き合わせ方向の径を短径とした略楕円形状であるので、種々の径の棒状体に挟持基体を固定することができる。
【図面の簡単な説明】
【００１７】
【図１】本発明の一実施形態に係る建築材料取付具を構成する挟持基体の説明図であり、（ａ）は一方の挟持基体の正面図、（ｂ）は他方の挟持基体の正面図、（ｃ）は（ａ）に示した挟持基体の右側面図、（ｄ）は（ａ）に示した挟持基体の底面図である。
【図２】（ａ）は凹溝部同士の突合せ状態を示した拡大部分平面図、（ｂ）は径大な棒状体を挟着した状態の拡大部分平面図である。
【図３】建築材料取付具の建築基体への取付手順を示す部分縦断面図である。
【図４】（ａ）建築材料取付具の建築基体への取付状態を示す部分縦断面図、（ｂ）は同要部横断面図である。
【図５】建築材料取付具の建築基体への取付状態を示す正面図である。
【図６】建築材料取付具の取り付け対象である建築基体（波形屋根）の部分斜視図である。
【図７】本発明の他の実施形態に係る建築材料取付具を構成する挟持基体の説明図であり、（ａ）は一方の挟持基体の正面図、（ｂ）は同左側面図、（ｃ）は同平面図である。
【図８】図７に示した建築材料取付具の建築基体への取付状態を示す縦断面図、（ｂ）は同平面図である。
【図９】本発明のさらに他の実施形態に係る建築材料取付具の説明図であり、（ａ）は建築材料取付具を構成する一方の挟持基体の正面図、（ｂ）は他方の挟持基体の正面図、（ｃ）は建築材料取付具の取付状態を示す側面図である。
【図１０】図９に示した建築材料取付具の適用例を示す概略正面図である。
【発明を実施するための形態】
【００１８】
以下に、本発明の実施の形態について、添付図面を参照しながら説明する。
【００１９】
まず、建築材料取付具の例として、屋根上に取り付ける屋根上物品取付具１について、図１〜図６を参照して説明する。この屋根上物品取付具は、屋根上に突出したボルト体よりなる棒状体に取り付けられるようになっている。
【００２０】
この屋根上物品取付具が取り付けられる屋根（建築基体）としては、図６に示した折板屋根Ｙ（角波形屋根）や丸波形屋根などの波形屋根が挙げられる。また、屋根の素材としては、金属や合成樹脂、セメント系等のものが適用できる。なお、屋根上物品取付具１の取付対象は波形屋根に限定されず、平板屋根であってもよい。
【００２１】
図例として示した折板屋根Ｙは、山部Ｙ１と谷部Ｙ２とが交互に連続する屋根であって、複数の折板屋根材を側端縁の山部Ｙ１の頂部Ｙ１ａで重合し、その重合部でボルト体Ｂ（棒状体）とナットＣ１の螺着によって連結した重ね式連結構造となっている。
【００２２】
このナットＣ１は、図例においては、その下方の山状の座金Ｃ２とともに座金部Ｃを構成している。座金Ｃ２は、ボルト孔からの水の浸入を防止するための防水パッキンＣ３を覆っている。なお、座金部Ｃは、図例のような座金Ｃ２を含まず螺着用のナットＣ１のみで構成してもよい。
【００２３】
また、折板屋根Ｙの裏側には、図３および図４に示すように、折板屋根Ｙと略同形状をなす、ボルト止めのための支持金具Ｙ３が取り付けられている。折板屋根Ｙはこの支持金具Ｙ３に支持される。なお、屋根上物品取付具１を取り付けるためのボルト体Ｂの取付位置は、隣接する折板屋根材の重合部に限らず、他の頂部Ｙ１ａに支持金具Ｙ３を用いてボルト体Ｂを取り付けてもよい。
【００２４】
この屋根上物品取付具１は、図１（ａ）、（ｂ）に示すように、同一形状の２個一対の挟持基体１０、１０を組み合わせ、それらを２組のボルト２１（図例では根角ボルト）、ナット２２で連結できるようにして構成されている。
【００２５】
両挟持基体１０、１０は、同一形状であり、一方の挟持基体１０の正面形状が他方の挟持基体１０の背面形状と同一である（図１（ａ）、（ｂ）参照）。
【００２６】
挟持基体１０は、屋根上に設置したときに頂部Ｙ１ａの上面とほぼ平行となる台座部１１と、台座部１１の一方の端部より垂下した垂下片１２と、台座部１１の他方の端部より下方に垂下片１２から遠ざかるように下方に延び、屋根面に当接する足部１６ｂを有した支持脚部１６とを備えている。
【００２７】
垂下片１２は、中央の凹溝部１３と、その両側端より側方に延びた板状の一対の翼片１４ａ、１４ａよりなる固定部１４と、凹溝部１３および固定部１４と台座部１１とを連結した連結部１５とより構成されている。
【００２８】
凹溝部１３は、両挟持基体１０、１０の凹溝部１３、１３の内面同士を突き合わせた場合に筒状体が形成され、その横断面が略楕円となるように、溝幅にくらべて浅底の湾曲凹溝状に形成されている（図１（ｃ）および図２（ａ）参照）。
【００２９】
この凹溝部１３の凹部内面には、凹溝部１３ほぼ全長にわたりねじ溝よりなる凹凸部１３ａが形成されている。凹凸部１３ａとしてはねじ溝に限らず、種々のものが適用でき、複数の略平行な細溝や同様の突条でもよく、梨地状の凹部、凸部などでもよい。凹溝部１３、１３間にはボルト体Ｂが挟持されるので、細溝や突条はボルト体Ｂのねじ山に沿って横方向に形成するほうが望ましい。
【００３０】
一組の挟持基体１０、１０の凹溝部１３、１３によりボルト体Ｂの軸部Ｂ１を挟持することができ、溝幅寸法を溝底間の長さよりやや大きくしたことにより、図２（ｂ）のような径大なボルト体Ｂも挟持することができる。
【００３１】
また、凹凸部１３ａが形成された両凹溝部１３、１３でボルト体Ｂを挟持する構成であるため、ずれや外れが発生しにくく、屋根上物品取付具１を安定的に屋根上に設置することができる。さらに、凹凸部１３ａをボルト体Ｂの軸部Ｂ１に接触させて摩擦力でしっかりと固定できる構成であるため、軸部Ｂ１が錆びて螺合ができないボルト体Ｂに対しても取り付けることができる。
【００３２】
固定部１４の翼片１４ａ、１４ａには角孔に形成されたボルト挿通孔が開設されており、図２（ａ）、（ｂ）および図４（ａ）、（ｂ）に示すように、ボルト体Ｂの軸部Ｂ１を挟んだ状態にして、２組のボルト２１、２１、ナット２２、２２を螺合することで、挟持状態を固定保持することができる。
【００３３】
また、連結部１５は、図１（ｂ）に示すように、中央に矩形の窓開口１５ａがあり、ボルト体Ｂの軸部Ｂ１の先端がその窓開口１５ａから覗くように配される。この窓開口１５ａは、頭部を上部に配したボルト２１を挟持することも考慮して、その頭部を収容できる程度の寸法、形状とすることが望ましい。なお、連結部１５は設けなくてもよく、台座部１１の端部より直接、凹溝部１３が垂下した構成としてもよい。その場合には、ボルト２１の軸部の先端は凹溝部１３、１３同士によって隠される。
【００３４】
また、垂下片１２の下端は、支持脚部１６の足部１６ｂよりも高い位置に配置されており、図４（ａ）に示すように、挟持基体１０、１０を屋根上に設置した際には、座金部Ｃとの接触が回避できるようになっている。
【００３５】
台座部１１は、図１（ａ）、（ｂ）に示すように、上面が平坦であり、図４（ａ）に示すように、一組の挟持基体１０、１０を連結することにより、面積の広い連結台座を形成することができる。この連結台座の上には、テレビアンテナや空調機器、太陽電池パネル、遮熱シート等の各種機器・部材類（屋根上物品）を配設することができる。
【００３６】
支持脚部１６は、幅方向の中央に縦に走る補強用のリブ１６ａを有した板片よりなり、その下端部には折曲してなる足部１６ｂを有している。また、支持脚部１６の高さ方向の中央部の側端には、ボルト２１、ナット２２の螺合作業をしやすくするための湾曲状の切欠き凹所１６ｃ、１６ｃが形成されている。
【００３７】
この支持脚部１６は、他方の挟持基体１０の支持脚部１６とともに作用して、屋根上物品取付具１を屋根面に安定的に設置させることができ、さらに支持脚部１６、１６間の中央にはボルト体Ｂの軸部Ｂ１に固定された一対の凹溝部１３、１３が配されているので、３点でしっかりと屋根上物品取付具１を固定保持することができる。また、一対の支持脚部１６、１６は末広がり状に屋根上に載置されるので、さらに設置状態は安定する。
【００３８】
なお、支持脚部１６を一方の挟持基体１０のみに設けたものとしてもよく、他方の挟持基体１０は、凹溝部１３と固定部１４とより構成されたものとしてもよい。その場合でも、１つの支持脚部１６と、ボルト体Ｂを挟持した一対の凹溝部１３、１３との２点支持により、屋根上物品取付具１を屋根上に安定的に設置させることができる。
【００３９】
このような一対の挟持基体１０、１０は、たとえば図３、図４（ａ）に示すように、折板屋根Ｙの頂部Ｙ１ａから上方に突出したボルト体Ｂの両側より頂部Ｙ１ａの形成方向に沿ってボルト体Ｂに近づけていき（図３参照）、ボルト体Ｂの軸部Ｂ１を挟持してから、重合したボルト挿通孔１４ｂにボルト２１を挿通させてナット２２で固定すればよい（図４（ａ）参照）。
【００４０】
このように、この屋根上物品取付具１は上述した構成となっているため、ボルト体Ｂに簡単に取り付けることができ、２片を締め付け近づかせるるような力を要する緊締作業を必要とせず、楽に設置することができる。
【００４１】
また、本実施形態の挟持基体１０は、板片を折曲形成した簡易な構成であるため、形状、構造をシンプルかつ頑丈にでき、屋根上に強固に取り付けることができる。形状、構造がシンプルであるため、製造コストを低減できる。
【００４２】
一対の挟持基体１０、１０は同一形状であるため、屋根上物品取付具１を構成する部品種類を少なくすることができ、部品管理も簡易にできる。さらに、挟持具１０、１０をボルト体に組み付けたときには、左右両端に支持脚部１６、１６が配せられるので安定感がある。また、左右対称に屋根上に設置されるので美観にもすぐれている。
【００４３】
このような屋根上物品取付具１は、たとえば図５に示すように、頂部Ｙ１ａの形成方向に沿って並べて設置してもよく、長尺状のたとえば遮熱シートを配設するためのフレームなどの取り付けにも適している。
【００４４】
ついで、他の実施形態について、図７および図８を参照しながら説明する。
【００４５】
この建築材料取付具は、竪樋などのパイプを外壁Ｗに取り付けるためのパイプ取付具１Ａである。パイプ取付具１Ａは、外壁面より突出したアンカーボルトＢＡよりなる棒状体を挟持して固定される構造となっている。
【００４６】
このパイプ取付具１Ａは、図７（ａ）に示した挟持基体１０Ａを２個一対組み合わせ、それらを少なくとも２組のボルト２１、ナット２２で連結できるようにして構成されている。
【００４７】
挟持基体１０Ａは、相互に対称形状とされ、それぞれが略Ｌ字状に形成され、アンカーボルトＢＡの軸部ＢＡ１に対して取り付けられる凹溝部１３と、その上下に配された形状の異なる２つの固定片１４ａ１、１４ａ２よりなる固定部１４とを備えている。なお、形状の異なる固定片１４ａ１、１４ａ２のそれぞれは、図例では、小さいほうを上に、大きいほうを下に配置しているが、逆にしてもよい。
【００４８】
凹溝部１３は、両挟持基体１０Ａ、１０Ａの凹溝部１３、１３の内面同士を突き合わせた場合に筒状体が形成される形状となっている。なお、この凹溝部１３は、図１に示した実施形態のものと同様、筒状体の断面が略楕円となるように、溝幅にくらべて浅底の湾曲凹溝状に形成されていることが望ましい。
【００４９】
この凹溝部１３の凹部内面には、凹溝部１３ほぼ全長にわたりねじ溝よりなる凹凸部１３ａが形成されている。凹凸部１３ａとしてはねじ溝に限らず、複数の略平行な細溝や同様の突条でもよく、梨地状の凹部、凸部などでもよい。
【００５０】
一組の挟持基体１０Ａ、１０Ａの凹溝部１３、１３によりアンカーボルトＢＡの軸部ＢＡ１を挟持することができ、溝幅寸法を溝底間の長さよりやや大きくしたことにより、径大なアンカーボルトＢＡも挟持することができる。
【００５１】
上側に配置する固定片１４ａ１には、角孔に形成されたボルト挿通孔１４ｂ１が開設されている。
【００５２】
下側に配置する固定片１４ａ２は、パイプを支持するバンド状支持具２５の取付片２５ａを固定するための支持具固定部として兼用されるものであり、２組のボルト２１、２１、ナット２２、２２を取り付けるためのボルト挿通孔１４ｂ２（長孔）が開設されている。
【００５３】
図８（ａ）、（ｂ）に示すように、一対の挟持基体１０Ａ、１０ＡはアンカーボルトＢＡの軸部ＢＡ１を両凹溝部１３、１３で挟持するように取り付けられる。
【００５４】
取付手順としては、たとえば、上側の固定片１４ａ１のみをボルト２１、ナット２２で固定してから、重合した下側の固定片１４ａ２（支持具固定部）の外側にパイプ２６を挟み込んだ状態のバンド状支持具２５の取付片２５ａを配して、重なり合った固定片１４ａ２、１４ａ２のボルト挿通孔１４ｂ２、１４ｂ２（長孔）と取付片２５ａの挿通孔（不図示）とにボルト２１、２１を挿通してナット２２、２２止めすればよい。
【００５５】
このようにして、３組のボルト２１、２１、２１ととナット２２、２２を螺合することで、挟持基体１０Ａ、１０ＡによるアンカーボルトＢＡに対する挟持状態を固定保持することができる。このように、パイプ取付具１ＡをアンカーボルトＢＡに固定することでパイプ２６を外壁面に配設することができる。
【００５６】
挟持基体１０Ａ、１０Ａは、２つを組み合わせて凹溝部１３、１３同士でアンカーボルトＢＡを挟持する構成であるため、しっかりと固定される。図例のように、アンカーボルトＢＡにナットＣＡを取り付けて、さらに抜け、外れを防止する構成としてもよい。
【００５７】
このように、挟持基体１０Ａ、１０Ａはボルト２１、ナット２２で固定する簡易な構造であるため、取り付けがきわめて簡単に行える。またさらに、本図例のものは挟持基体１０Ａ、１０Ａを固定するための一部の構成と、バンド状支持具２５を固定する構成とを兼用しているので、少ない部材でパイプ２６を外壁Ｗ面に配設することができる。
【００５８】
また、一対の挟持基体１０Ａ、１０Ａは対称形状であるため、設置したときにはシンプルな美観が得られる。なお、部品管理を簡易にするために両挟持基体１０Ａ、１０Ａを同一形状としてもよい。
【００５９】
ついで、さらに他の実施形態について、図９および図１０を参照しながら説明する。
【００６０】
この建築材料取付具は、忍び返しやフェンスやブロック塀Ｖの上に取り付けるための支柱状の建築材料取付具１Ｂである。この建築材料取付具１Ｂは、ブロック塀Ｖの上端より突出したアンカーボルトＢＡよりなる棒状体を挟持して固定される構造となっている。
【００６１】
この建築材料取付具１Ｂは、図９（ａ）、（ｂ）に示した２種一対の挟持基体１０Ｂ１、１０Ｂ２を組み合わせ、それらを２組のボルト２１（図例では根角ボルト）、ナット２２で連結できるようにして構成されている。
【００６２】
図９（ａ）に示した挟持基体１０Ｂ１は、円筒状の筒部１８と、その下端に配された挟持部１９とよりなる。挟持部１９は、アンカーボルトＢＡの軸部ＢＡ１に対して取り付けられる凹溝部１３と、その両側方に配された２つの翼片１４ａ、１４ａよりなる固定部１４とを備えてなる。
【００６３】
図９（ｂ）に示した挟持基体１０Ｂ２は、挟持基体１０Ｂ１の挟持部１９と同様の構成であり、アンカーボルトＢＡの軸部ＢＡ１に対して取り付けられる凹溝部１３と、その両側方に配された２つの翼片１４ａ、１４ａよりなる固定部１４とを備えてなる。翼片１４ａ、１４ａのそれぞれには、ボルト挿通孔１４ｂ、１４ｂが開設されている。
【００６４】
このような２種の挟持基体１０Ｂ１、１０Ｂ２は、図９（ｃ）に示すように、凹溝部１３、１３同士でアンカーボルトＢＡを挟持してボルト２１、ナット２２で固定されるようになっている。
【００６５】
それぞれの凹溝部１３は、両挟持基体１０、１０の凹溝部１３、１３の内面同士を突き合わせた場合に筒状体が形成される形状となっている。なお、この凹溝部１３は、図１に示した実施形態のものと同様、筒状体の断面が略楕円となるように、溝幅にくらべて浅底の湾曲凹溝状に形成されていることが望ましい。
【００６６】
また、凹溝部１３、１３によってできる筒状体は、その上方の筒部１８と略同径であり、凹溝部１３、１３同士で挟持したアンカーボルトＢＡの先端が筒部１８内に配されるようになっている。
【００６７】
この凹溝部１３の凹部内面には、凹溝部１３のほぼ全長にわたりねじ溝よりなる凹凸部１３ａが形成されている。凹凸部１３ａとしてはねじ溝に限らず、複数の略平行な細溝や同様の突条でもよく、梨地状の凹部、凸部などでもよい。
【００６８】
一組の挟持基体１０Ｂ１、１０Ｂ２の凹溝部１３、１３によりアンカーボルトＢＡの軸部ＢＡ１を挟持することができ、溝幅寸法を溝底間の長さよりやや大きくしたことにより、径大なアンカーボルトＢＡも挟持することができる。
【００６９】
このような支柱状の建築材料取付具１Ｂを、図１０に示すように、ブロック塀Ｖの上端に突出させた複数のアンカーボルトＢＡに固定して、忍び返し２７取り付け用の支柱とすればよい。また、この建築材料取付具１Ｂはフェンスにも利用でき、さらに種々の簡易的な支柱として利用できる。
【００７０】
このように、挟持基体１０Ｂ１、１０Ｂ２はボルト２１、ナット２２で固定する簡易な構造であるため、取り付けがきわめて簡単に行える。
【００７１】
また、アンカーボルトＢＡの代わりに、ブロック塀Ｖに使用される鉄筋をブロック塀Ｖの上端より突出させたものを棒状体として用いてもよい。
【００７２】
以上に示した図７、図８および図９、図１０の２実施形態についても、建築材料取付具（パイプ取付具１Ａ、建築材料取付具１Ｂ）は、２個一対の挟持基体１０Ａ、１０Ｂ１、１０Ｂ２を用いて棒状体を挟持し、固定部１４をボルト２１、ナット２２で固定する構造であるため、建築材料取付具自身の形状、構造をシンプルかつ頑丈にできる。その結果、建築材料を建築基体に簡易にかつ安定的に設置することができる。
【００７３】
建築材料取付具としては、上述の３種の実施形態のものに限らず、種々のものにも適用できる。少なくとも２個一対の挟持基体１０（１０Ａ、１０Ｂ１）、１０（１０Ａ、１０Ｂ２）を用いて、内面に凹凸部１３ａ、１３ａを有した凹溝部１３、１３同士で棒状体を挟持、固定できるものであれば、どのような形状のものでもかまわない。
【符号の説明】
【００７４】
１          屋根上物品取付具（建築材料取付具）
１Ａ        パイプ取付具（建築材料取付具）
１Ｂ        （支柱状の）建築材料取付具
１０、１０Ａ、１０Ｂ１、１０Ｂ２        挟持基体
１３        凹溝部
１３ａ      凹凸部
１４        固定部
１４ａ      翼片
１４ａ１、１４ａ２    固定片
１４ｂ、１４ｂ１、１４ｂ２      ボルト挿通孔
１６        支持脚部
１６ｂ      足部
２１        ボルト
２２        ナット
Ｙ          折板屋根（建築基体）
Ｗ          外壁（建築基体）
Ｖ          ブロック塀（建築基体）
Ｂ          ボルト体（棒状体）
ＢＡ        アンカーボルト（棒状体）
【図１】
2014190026.tif 000003
【図２】
2014190026.tif 000004
【図３】
2014190026.tif 000005
【図４】
2014190026.tif 000006
【図５】
2014190026.tif 000007
【図６】
2014190026.tif 000008
【図７】
2014190026.tif 000009
【図８】
2014190026.tif 000010
【図９】
2014190026.tif 000011
【図１０】
2014190026.tif 000012
【手続補正書】
【提出日】平成26年6月12日(2014.6.12)
【手続補正１】
【補正対象書類名】特許請求の範囲
【補正対象項目名】全文
【補正方法】変更
【補正の内容】
【特許請求の範囲】
【請求項１】
パイプを取り付ける２個一対の挟持基体を用いて、外壁面より突出した棒状体を挟持して固定される構造とした建築材料取付具であって、
前記挟持基体のそれぞれは、前記棒状体を挟持する、凹部内面に凹凸部が形成された凹溝部と、該凹溝部の上下に配された、ボルト挿通孔を有した固定片によりなる、該凹溝部同士による前記棒状体の挟持を保持する固定部とを備えたことを特徴とする建築材料取付具。
【請求項２】
請求項１において、
前記一対の挟持基体は対称形状とされることを特徴とする建築材料取付具。
【請求項３】
請求項１または２において、
前記凹溝部の内面同士を突き合わせて形成される開口が、突き合わせ方向の径を短径とした略楕円形状であることを特徴とする建築材料取付具。
【手続補正２】
【補正対象書類名】明細書
【補正対象項目名】全文
【補正方法】変更
【補正の内容】
【発明の詳細な説明】
【技術分野】
【０００１】
本発明は、外壁面より突出した棒状体を挟持して固定される構成とした建築材料取付具に関する。
【背景技術】
【０００２】
従来、屋根や外壁、ブロック塀などの建築基体に種々の建築材料を取り付けるために種々の建築材料取付具が用いられている。
【０００３】
たとえば屋根においては、一般に、折板屋根（角波形屋根）、丸波形屋根等の波形屋根の上面に、たとえばテレビアンテナや空調機器、太陽電池パネル、遮熱シート等の各種機器・部材類（屋根上物品）を配設することが実施されており、従来には、各種機器・部材類を屋根上に取り付けるための種々の屋根上物品取付具（建築材料取付具）が提案されている（たとえば、特許文献１、２参照）。
【０００４】
特許文献１、２に記載された屋根は、山部と谷部とが交互に連続してなる波形屋根における山部の頂部で、隣接する屋根材同士を重ねてなる重合部をボルト体（棒状体）とナットの螺着によって連結、固定する重ね式連結構造となっている。そして、その波形屋根に取り付けられる屋根上物品取付具は、屋根材の重合部を波形屋根の下方より貫通して屋根上に突出した、屋根材連結のためのボルト体の軸部を、先端が相対向する挟着片で挟み込むことで設置できるようになっている。
【０００５】
具体的には、これらの屋根上物品取付具は、略門形に形成され、その両脚片を横方向に貫通する緊締用ボルトおよび緊締用ナットで両脚片を緊締して、両脚片のそれぞれの下端から対向するように延びた両挟着片がボルト体を挟着する構造となっている。挟着片の先端がボルト体のネジ溝に食い込んだ状態で係止、固定されるので、屋根上物品取付具は容易に外れることなく屋根上にしっかりと固定される。
【先行技術文献】
【特許文献】
【０００６】
【特許文献１】特開２０１２−４６９４１号公報
【特許文献２】特開２０１２−４６９４２号公報
【発明の概要】
【発明が解決しようとする課題】
【０００７】
しかしながら、特許文献１の屋根上物品取付具は１部材よりなる略門形の挟着具よりなるため、手作業による挟着のための緊締作業には力を要し、そのため取付作業を迅速に行うことはできない。
【０００８】
また、特許文献２の屋根上物品取付具は、一対の挟着具よりなるため、緊締作業は比較的楽に行える構成であるが、全体の形状、構造が複雑であり、製造コストがかかるおそれがある。
【０００９】
本発明は、このような事情を考慮して提案されたもので、その目的は、パイプを外壁に取付固定するための建築材料取付具において、簡単かつ強固に取り付けることができ、かつ製造コストを低減できる建築材料取付具を提供することにある。また、様々な径の棒状体に対して固定できるようにすることも本発明の目的とする。
【課題を解決するための手段】
【００１０】
上記目的を達成するために、請求項１に記載の建築材料取付具は、パイプを取り付ける２個一対の挟持基体を用いて、外壁面より突出した棒状体を挟持して固定される構造とした建築材料取付具であって、挟持基体のそれぞれは、棒状体を挟持する、凹部内面に凹凸部が形成された凹溝部と、該凹溝部の上下に配された、ボルト挿通孔を有した固定片によりなる、該凹溝部同士による前記棒状体の挟持を保持する固定部とを備えたことを特徴とする。
【００１１】
請求項２に記載の建築材料取付具は、一対の挟持基体は対称形状とされることを特徴とする。
【００１２】
請求項３に記載の建築材料取付具は、凹溝部の内面同士を突き合わせて形成される開口が、突き合わせ方向の径を短径とした略楕円形状であることを特徴とする。
【発明の効果】
【００１３】
請求項１に記載の建築材料取付具によれば、上述の構成となっているため、全体の形状、構造をシンプルかつ頑丈にでき、外壁に強固に取り付けることができる。形状、構造がシンプルであるため、製造コストを低減できる。また、上述の構成となっているため、建築材料取付具を外壁に、楽に効率よく取り付けることができる。
【００１４】
また、凹凸部が形成された両凹溝部で棒状体を挟持する構成であるため、ずれや外れが発生しにくく、建築材料取付具を安定的に設置できる。さらに、凹凸部を棒状体の軸部に接触させて摩擦力でしっかりと固定できる構成であるため、軸部が錆びて螺合ができないボルト体に対しても取り付けることができる。
【００１５】
請求項２に記載の建築材料取付具によれば、一対の挟持基体は対称形状とされるため、設置したときにシンプルな美観が得られる。特に、同一形状とすれば、構成部品の種類を少なくすることができ、部品管理も簡易にできる。
【００１６】
請求項３に記載の建築材料取付具によれば、凹溝部の内面同士を突き合わせて形成される開口が、突き合わせ方向の径を短径とした略楕円形状であるので、種々の径の棒状体に挟持基体を固定することができる。
【図面の簡単な説明】
【００１７】
【図１】本発明の参考例に係る建築材料取付具を構成する挟持基体の説明図であり、（ａ）は一方の挟持基体の正面図、（ｂ）は他方の挟持基体の正面図、（ｃ）は（ａ）に示した挟持基体の右側面図、（ｄ）は（ａ）に示した挟持基体の底面図である。
【図２】（ａ）は凹溝部同士の突合せ状態を示した拡大部分平面図、（ｂ）は径大な棒状体を挟着した状態の拡大部分平面図である。
【図３】建築材料取付具の建築基体への取付手順を示す部分縦断面図である。
【図４】（ａ）建築材料取付具の建築基体への取付状態を示す部分縦断面図、（ｂ）は同要部横断面図である。
【図５】建築材料取付具の建築基体への取付状態を示す正面図である。
【図６】建築材料取付具の取り付け対象である建築基体（波形屋根）の部分斜視図である。
【図７】本発明の一実施形態に係る建築材料取付具を構成する挟持基体の説明図であり、（ａ）は一方の挟持基体の正面図、（ｂ）は同左側面図、（ｃ）は同平面図である。
【図８】図７に示した建築材料取付具の外壁への取付状態を示す縦断面図、（ｂ）は同平面図である。
【図９】本発明の他の参考例に係る建築材料取付具の説明図であり、（ａ）は建築材料取付具を構成する一方の挟持基体の正面図、（ｂ）は他方の挟持基体の正面図、（ｃ）は建築材料取付具の取付状態を示す側面図である。
【図１０】図９に示した建築材料取付具の適用例を示す概略正面図である。
【発明を実施するための形態】
【００１８】
以下に、本発明の実施の形態について、添付図面を参照しながら説明する。
【００１９】
まず、建築材料取付具の参考例として、屋根上に取り付ける屋根上物品取付具について、図１〜図６を参照して説明する。この屋根上物品取付具１は、屋根上に突出したボルト体よりなる棒状体に取り付けられるようになっている。
【００２０】
この屋根上物品取付具が取り付けられる屋根（建築基体）としては、図６に示した折板屋根Ｙ（角波形屋根）や丸波形屋根などの波形屋根が挙げられる。また、屋根の素材としては、金属や合成樹脂、セメント系等のものが適用できる。なお、屋根上物品取付具１の取付対象は波形屋根に限定されず、平板屋根であってもよい。
【００２１】
図例として示した折板屋根Ｙは、山部Ｙ１と谷部Ｙ２とが交互に連続する屋根であって、複数の折板屋根材を側端縁の山部Ｙ１の頂部Ｙ１ａで重合し、その重合部でボルト体Ｂ（棒状体）とナットＣ１の螺着によって連結した重ね式連結構造となっている。
【００２２】
このナットＣ１は、図例においては、その下方の山状の座金Ｃ２とともに座金部Ｃを構成している。座金Ｃ２は、ボルト孔からの水の浸入を防止するための防水パッキン（不図示）を覆っている。なお、座金部Ｃは、図例のような座金Ｃ２を含まず螺着用のナットＣ１のみで構成してもよい。
【００２３】
また、折板屋根Ｙの裏側には、図３および図４に示すように、折板屋根Ｙと略同形状をなす、ボルト止めのための支持金具Ｙ３が取り付けられている。折板屋根Ｙはこの支持金具Ｙ３に支持される。なお、屋根上物品取付具１を取り付けるためのボルト体Ｂの取付位置は、隣接する折板屋根材の重合部に限らず、他の頂部Ｙ１ａに支持金具Ｙ３を用いてボルト体Ｂを取り付けてもよい。
【００２４】
この屋根上物品取付具１は、図１（ａ）、（ｂ）に示すように、同一形状の２個一対の挟持基体１０、１０を組み合わせ、それらを２組のボルト２１（図例では根角ボルト）、ナット２２で連結できるようにして構成されている。
【００２５】
両挟持基体１０、１０は、同一形状であり、一方の挟持基体１０の正面形状が他方の挟持基体１０の背面形状と同一である（図１（ａ）、（ｂ）参照）。
【００２６】
挟持基体１０は、屋根上に設置したときに頂部Ｙ１ａの上面とほぼ平行となる台座部１１と、台座部１１の一方の端部より垂下した垂下片１２と、台座部１１の他方の端部より下方に垂下片１２から遠ざかるように下方に延び、屋根面に当接する足部１６ｂを有した支持脚部１６とを備えている。
【００２７】
垂下片１２は、中央の凹溝部１３と、その両側端より側方に延びた板状の一対の翼片１４ａ、１４ａよりなる固定部１４と、凹溝部１３および固定部１４と台座部１１とを連結した連結部１５とより構成されている。
【００２８】
凹溝部１３は、両挟持基体１０、１０の凹溝部１３、１３の内面同士を突き合わせた場合に筒状体が形成され、その横断面が略楕円となるように、溝幅にくらべて浅底の湾曲凹溝状に形成されている（図１（ｃ）および図２（ａ）参照）。
【００２９】
この凹溝部１３の凹部内面には、凹溝部１３ほぼ全長にわたりねじ溝よりなる凹凸部１３ａが形成されている。凹凸部１３ａとしてはねじ溝に限らず、種々のものが適用でき、複数の略平行な細溝や同様の突条でもよく、梨地状の凹部、凸部などでもよい。凹溝部１３、１３間にはボルト体Ｂが挟持されるので、細溝や突条はボルト体Ｂのねじ山に沿って横方向に形成するほうが望ましい。
【００３０】
一組の挟持基体１０、１０の凹溝部１３、１３によりボルト体Ｂの軸部Ｂ１を挟持することができ、溝幅寸法を溝底間の長さよりやや大きくしたことにより、図２（ｂ）のような径大なボルト体Ｂも挟持することができる。
【００３１】
また、凹凸部１３ａが形成された両凹溝部１３、１３でボルト体Ｂを挟持する構成であるため、ずれや外れが発生しにくく、屋根上物品取付具１を安定的に屋根上に設置することができる。さらに、凹凸部１３ａをボルト体Ｂの軸部Ｂ１に接触させて摩擦力でしっかりと固定できる構成であるため、軸部Ｂ１が錆びて螺合ができないボルト体Ｂに対しても取り付けることができる。
【００３２】
固定部１４の翼片１４ａ、１４ａには角孔に形成されたボルト挿通孔１４ｂが開設されており、図２（ａ）、（ｂ）および図４（ａ）、（ｂ）に示すように、ボルト体Ｂの軸部Ｂ１を挟んだ状態にして、２組のボルト２１、２１、ナット２２、２２を螺合することで、挟持状態を固定保持することができる。
【００３３】
また、連結部１５は、図１（ｂ）に示すように、中央に矩形の窓開口１５ａがあり、ボルト体Ｂの軸部Ｂ１の先端がその窓開口１５ａから覗くように配される。この窓開口１５ａは、頭部を上部に配したボルト２１を挟持することも考慮して、その頭部を収容できる程度の寸法、形状とすることが望ましい。なお、連結部１５は設けなくてもよく、台座部１１の端部より直接、凹溝部１３が垂下した構成としてもよい。その場合には、ボルト２１の軸部の先端は凹溝部１３、１３同士によって隠される。
【００３４】
また、垂下片１２の下端は、支持脚部１６の足部１６ｂよりも高い位置に配置されており、図４（ａ）に示すように、挟持基体１０、１０を屋根上に設置した際には、座金部Ｃとの接触が回避できるようになっている。
【００３５】
台座部１１は、図１（ａ）、（ｂ）に示すように、上面が平坦であり、図４（ａ）に示すように、一組の挟持基体１０、１０を連結することにより、面積の広い連結台座を形成することができる。この連結台座の上には、テレビアンテナや空調機器、太陽電池パネル、遮熱シート等の各種機器・部材類（屋根上物品）を配設することができる。
【００３６】
支持脚部１６は、幅方向の中央に縦に走る補強用のリブ１６ａを有した板片よりなり、その下端部には折曲してなる足部１６ｂを有している。また、支持脚部１６の高さ方向の中央部の側端には、ボルト２１、ナット２２の螺合作業をしやすくするための湾曲状の切欠き凹所１６ｃ、１６ｃが形成されている。
【００３７】
この支持脚部１６は、他方の挟持基体１０の支持脚部１６とともに作用して、屋根上物品取付具１を屋根面に安定的に設置させることができ、さらに支持脚部１６、１６間の中央にはボルト体Ｂの軸部Ｂ１に固定された一対の凹溝部１３、１３が配されているので、３点でしっかりと屋根上物品取付具１を固定保持することができる。また、一対の支持脚部１６、１６は末広がり状に屋根上に載置されるので、さらに設置状態は安定する。
【００３８】
なお、支持脚部１６を一方の挟持基体１０のみに設けたものとしてもよく、他方の挟持基体１０は、凹溝部１３と固定部１４とより構成されたものとしてもよい。その場合でも、１つの支持脚部１６と、ボルト体Ｂを挟持した一対の凹溝部１３、１３との２点支持により、屋根上物品取付具１を屋根上に安定的に設置させることができる。
【００３９】
このような一対の挟持基体１０、１０は、たとえば図３、図４（ａ）に示すように、折板屋根Ｙの頂部Ｙ１ａから上方に突出したボルト体Ｂの両側より頂部Ｙ１ａの形成方向に沿ってボルト体Ｂに近づけていき（図３参照）、ボルト体Ｂの軸部Ｂ１を挟持してから、重合したボルト挿通孔１４ｂにボルト２１を挿通させてナット２２で固定すればよい（図４（ａ）参照）。
【００４０】
このように、この屋根上物品取付具１は上述した構成となっているため、ボルト体Ｂに簡単に取り付けることができ、２片を締め付け近づかせるるような力を要する緊締作業を必要とせず、楽に設置することができる。
【００４１】
また、本実施形態の挟持基体１０は、板片を折曲形成した簡易な構成であるため、形状、構造をシンプルかつ頑丈にでき、屋根上に強固に取り付けることができる。形状、構造がシンプルであるため、製造コストを低減できる。
【００４２】
一対の挟持基体１０、１０は同一形状であるため、屋根上物品取付具１を構成する部品種類を少なくすることができ、部品管理も簡易にできる。さらに、挟持基体１０、１０をボルト体に組み付けたときには、左右両端に支持脚部１６、１６が配せられるので安定感がある。また、左右対称に屋根上に設置されるので美観もすぐれている。
【００４３】
このような屋根上物品取付具１は、たとえば図５に示すように、頂部Ｙ１ａの形成方向に沿って並べて設置してもよく、長尺状のたとえば遮熱シートを配設するためのフレームなどの取り付けにも適している。
【００４４】
ついで、本発明の一実施形態について、図７および図８を参照しながら説明する。
【００４５】
この建築材料取付具は、竪樋などのパイプを外壁Ｗに取り付けるためのパイプ取付具１Ａである。パイプ取付具１Ａは、外壁面より突出したアンカーボルトＢＡよりなる棒状体を挟持して固定される構造となっている。
【００４６】
このパイプ取付具１Ａは、図７（ａ）に示した挟持基体１０Ａを２個一対組み合わせ、それらを少なくとも２組のボルト２１、ナット２２で連結できるようにして構成されている。
【００４７】
挟持基体１０Ａは、相互に対称形状とされ、それぞれが略Ｌ字状に形成され、アンカーボルトＢＡの軸部ＢＡ１に対して取り付けられる凹溝部１３と、その上下に配された形状の異なる２つの固定片１４ａ１、１４ａ２よりなる固定部１４とを備えている。なお、形状の異なる固定片１４ａ１、１４ａ２のそれぞれは、図例では、小さいほうを上に、大きいほうを下に配置しているが、逆にしてもよい。
【００４８】
凹溝部１３は、両挟持基体１０Ａ、１０Ａの凹溝部１３、１３の内面同士を突き合わせた場合に筒状体が形成される形状となっている。なお、この凹溝部１３は、図１に示した実施形態のものと同様、筒状体の断面が略楕円となるように、溝幅にくらべて浅底の湾曲凹溝状に形成されていることが望ましい。
【００４９】
この凹溝部１３の凹部内面には、凹溝部１３ほぼ全長にわたりねじ溝よりなる凹凸部１３ａが形成されている。凹凸部１３ａとしてはねじ溝に限らず、複数の略平行な細溝や同様の突条でもよく、梨地状の凹部、凸部などでもよい。
【００５０】
一組の挟持基体１０Ａ、１０Ａの凹溝部１３、１３によりアンカーボルトＢＡの軸部ＢＡ１を挟持することができ、溝幅寸法を溝底間の長さよりやや大きくしたことにより、径大なアンカーボルトＢＡも挟持することができる。
【００５１】
上側に配置する固定片１４ａ１には、角孔に形成されたボルト挿通孔１４ｂ１が開設されている。
【００５２】
下側に配置する固定片１４ａ２は、パイプを支持するバンド状支持具２５の取付片２５ａを固定するための支持具固定部として兼用されるものであり、２組のボルト２１、２１、ナット２２、２２を取り付けるためのボルト挿通孔１４ｂ２（長孔）が開設されている。
【００５３】
図８（ａ）、（ｂ）に示すように、一対の挟持基体１０Ａ、１０ＡはアンカーボルトＢＡの軸部ＢＡ１を両凹溝部１３、１３で挟持するように取り付けられる。
【００５４】
取付手順としては、たとえば、上側の固定片１４ａ１のみをボルト２１、ナット２２で固定してから、重合した下側の固定片１４ａ２（支持具固定部）の外側にパイプ２６を挟み込んだ状態のバンド状支持具２５の取付片２５ａを配して、重なり合った固定片１４ａ２、１４ａ２のボルト挿通孔１４ｂ２、１４ｂ２（長孔）と取付片２５ａの挿通孔（不図示）とにボルト２１、２１を挿通してナット２２（１つのナットについては不図示）止めすればよい。
【００５５】
このようにして、３組のボルト２１、２１、２１ととナット２２、２２（１つのナットについては不図示）を螺合することで、挟持基体１０Ａ、１０ＡによるアンカーボルトＢＡに対する挟持状態を固定保持することができる。このように、パイプ取付具１ＡをアンカーボルトＢＡに固定することでパイプ２６を外壁面に配設することができる。
【００５６】
挟持基体１０Ａ、１０Ａは、２つを組み合わせて凹溝部１３、１３同士でアンカーボルトＢＡを挟持する構成であるため、しっかりと固定される。図例のように、アンカーボルトＢＡにナットＣＡを取り付けて、さらに抜け、外れを防止する構成としてもよい。
【００５７】
このように、挟持基体１０Ａ、１０Ａはボルト２１、ナット２２で固定する簡易な構造であるため、取り付けがきわめて簡単に行える。またさらに、本図例のものは挟持基体１０Ａ、１０Ａを固定するための一部の構成と、バンド状支持具２５を固定する構成とを兼用しているので、少ない部材でパイプ２６を外壁Ｗ面に配設することができる。
【００５８】
また、一対の挟持基体１０Ａ、１０Ａは対称形状であるため、設置したときにはシンプルな美観が得られる。なお、部品管理を簡易にするために両挟持基体１０Ａ、１０Ａを同一形状としてもよい。
【００５９】
ついで、さらに他の参考例について、図９および図１０を参照しながら説明する。
【００６０】
この建築材料取付具は、忍び返しやフェンスやブロック塀Ｖの上に取り付けるための支柱状の建築材料取付具１Ｂである。この建築材料取付具１Ｂは、ブロック塀Ｖの上端より突出したアンカーボルトＢＡよりなる棒状体を挟持して固定される構造となっている。
【００６１】
この建築材料取付具１Ｂは、図９（ａ）、（ｂ）に示した２種一対の挟持基体１０Ｂ１、１０Ｂ２を組み合わせ、それらを２組のボルト２１（図例では根角ボルト）、ナット２２で連結できるようにして構成されている。
【００６２】
図９（ａ）に示した挟持基体１０Ｂ１は、円筒状の筒部１８と、その下端に配された挟持部１９とよりなる。挟持部１９は、アンカーボルトＢＡの軸部ＢＡ１に対して取り付けられる凹溝部１３と、その両側方に配された２つの翼片１４ａ、１４ａよりなる固定部１４とを備えてなる。
【００６３】
図９（ｂ）に示した挟持基体１０Ｂ２は、挟持基体１０Ｂ１の挟持部１９と同様の構成であり、アンカーボルトＢＡの軸部ＢＡ１に対して取り付けられる凹溝部１３と、その両側方に配された２つの翼片１４ａ、１４ａよりなる固定部１４とを備えてなる。翼片１４ａ、１４ａのそれぞれには、ボルト挿通孔１４ｂ、１４ｂが開設されている。
【００６４】
このような２種の挟持基体１０Ｂ１、１０Ｂ２は、図９（ｃ）に示すように、凹溝部１３、１３同士でアンカーボルトＢＡを挟持してボルト２１、ナット２２で固定されるようになっている。
【００６５】
それぞれの凹溝部１３は、両挟持基体１０、１０の凹溝部１３、１３の内面同士を突き合わせた場合に筒状体が形成される形状となっている。なお、この凹溝部１３は、図１に示した実施形態のものと同様、筒状体の断面が略楕円となるように、溝幅にくらべて浅底の湾曲凹溝状に形成されていることが望ましい。
【００６６】
また、凹溝部１３、１３によってできる筒状体は、その上方の筒部１８と略同径であり、凹溝部１３、１３同士で挟持したアンカーボルトＢＡの先端が筒部１８内に配されるようになっている。
【００６７】
この凹溝部１３の凹部内面には、凹溝部１３のほぼ全長にわたりねじ溝よりなる凹凸部１３ａが形成されている。凹凸部１３ａとしてはねじ溝に限らず、複数の略平行な細溝や同様の突条でもよく、梨地状の凹部、凸部などでもよい。
【００６８】
一組の挟持基体１０Ｂ１、１０Ｂ２の凹溝部１３、１３によりアンカーボルトＢＡの軸部ＢＡ１を挟持することができ、溝幅寸法を溝底間の長さよりやや大きくしたことにより、径大なアンカーボルトＢＡも挟持することができる。
【００６９】
このような支柱状の建築材料取付具１Ｂを、図１０に示すように、ブロック塀Ｖの上端に突出させた複数のアンカーボルトＢＡに固定して、忍び返し２７取り付け用の支柱とすればよい。また、この建築材料取付具１Ｂはフェンスにも利用でき、さらに種々の簡易的な支柱として利用できる。
【００７０】
このように、挟持基体１０Ｂ１、１０Ｂ２はボルト２１、ナット２２で固定する簡易な構造であるため、取り付けがきわめて簡単に行える。
【００７１】
また、アンカーボルトＢＡの代わりに、ブロック塀Ｖに使用される鉄筋をブロック塀Ｖの上端より突出させたものを棒状体として用いてもよい。
【００７２】
以上に示した図７、図８および図９、図１０の２実施形態についても、建築材料取付具（パイプ取付具１Ａ、建築材料取付具１Ｂ）は、２個一対の挟持基体１０Ａ、１０Ｂ１、１０Ｂ２を用いて棒状体を挟持し、固定部１４をボルト２１、ナット２２で固定する構造であるため、建築材料取付具自身の形状、構造をシンプルかつ頑丈にできる。その結果、建築材料を建築基体に簡易にかつ安定的に設置することができる。
【００７３】
建築材料取付具としては、上述の３種の実施形態のものに限らず、種々のものにも適用できる。少なくとも２個一対の挟持基体１０（１０Ａ、１０Ｂ１）、１０（１０Ａ、１０Ｂ２）を用いて、内面に凹凸部１３ａ、１３ａを有した凹溝部１３、１３同士で棒状体を挟持、固定できるものであれば、どのような形状のものでもかまわない。
【符号の説明】
【００７４】
１          屋根上物品取付具（建築材料取付具）
１Ａ        パイプ取付具（建築材料取付具）
１Ｂ        （支柱状の）建築材料取付具
１０、１０Ａ、１０Ｂ１、１０Ｂ２        挟持基体
１３        凹溝部
１３ａ      凹凸部
１４        固定部
１４ａ      翼片
１４ａ１、１４ａ２    固定片
１４ｂ、１４ｂ１、１４ｂ２      ボルト挿通孔
１６        支持脚部
１６ｂ      足部
２１        ボルト
２２        ナット
Ｙ          折板屋根（建築基体）
Ｗ          外壁（建築基体）
Ｖ          ブロック塀（建築基体）
Ｂ          ボルト体（棒状体）
ＢＡ        アンカーボルト（棒状体）